(57)【特許請求の範囲】
【請求項１】
ねじ部と頭部を有する反射板取付用のつまみねじと、このつまみねじを挿通するねじ挿通孔が設けられ塗装の施された反射板と、前記つまみねじが螺合するねじ孔を有して前記つまみねじにより前記反射板を取り付ける器具本体を備えた照明器具において、
前記頭部のねじ部側に設けられて、付け根が前記頭部の前記ねじ部側の周辺に位置し、先端が前記ねじ部の先端寄りに弾性係合し、前記付け根と前記先端との中間部が前記ねじ部のねじ軸方向に対して傾斜した爪片を有し、前記反射板を前記器具本体に取付けたとき、前記爪片の側部が前記ねじ挿通孔の縁部に導通可能に食い込む導通部材を具備したことを特徴とする照明器具。
【請求項２】
ねじ挿通孔を有する塗装した取付部材を、ねじ孔を有する被取付部材につまみねじにより取付ける際に、前記つまみねじの頭部のねじ部側に嵌められ前記取付部材の前記ねじ挿通孔の縁部の塗装を剥離し前記取付部材と前記つまみねじとの導通をとるねじ用導通部材であって、
前記ねじ部に嵌込み前記頭部に当接する環状部と、この環状部から前記環状部の軸方向に延びかつ前記環状部の中心を通る軸線に近づく方向に傾斜する傾斜状態に突出して先端が前記ねじ部に当接する複数の弾性爪片とを備え、前記弾性爪片の側部が前記ねじ挿通孔の縁部に導通可能に係止することを特徴とするねじ用導通部材。
【請求項３】
前記弾性爪片は周方向の、少なくとも締め付け方向前方側の縁部が立ちあげられている請求項２記載のねじ用導通部材。
【請求項４】
前記複数の弾性爪片はその先端でつまみねじに嵌合した状態でつまみねじのねじ部が環状部に対し偏心状態となる請求項２記載のねじ用導通部材。
【請求項５】
つまみねじを緩める方向への回転を防止する回転防止部を有する請求項２記載のねじ用導通部材。
【発明の詳細な説明】
【０００１】
【発明の属する技術分野】
この発明は、つまみねじにより反射板の取付けを行う照明器具およびねじ用導通部材に関するものである。
【０００２】
【従来の技術】
器具本体に反射板をつまみねじで取付ける場合、反射板を器具本体に電気的に接続して接地電位にするため、従来例例えば特開平８−３３４１１４号は、図１９および図２０（ａ）、（ｂ）に示すように、つまみねじ１００の頭部に設けられた突起部１０１がつまみねじ１００の螺合時の回転により反射板１０２の塗装を剥離し、器具本体１０３と反射板１０２の導通をとるものを開示している。１０５は器具本体１０３のねじ孔、１０６は反射板１０２のねじ挿通孔である。
【０００３】
また、図２０  （ｃ）はつまみねじ１００の頭部のねじ部側に傾斜面１０４を設けたものであり、この傾斜面１０４により反射板１０２のねじ挿通孔１０６の周りの塗装を剥離し導通をとるものである。
【０００４】
【発明が解決しようとする課題】
図１９および図２０（ａ）、（ｂ）の場合、突起部１０１により反射板１０２の表面の塗装が剥離されるため、この部分の傷が目立ってしまう。また、この傷により反射板１０２の表面に錆が発生しやす〈なる。あるいは反射板１０２とつまみねじ１００の頭部の間に突起部１０１の高さ分の隙間が生じるなど器具の外観品質を損なうものであった。
【０００５】
また、図２０（ｃ）の場合、塗装の剥離を傾斜面１０６の面接触で行うため剥離が不十分であり導通が不確実であった。
【０００６】
さらに両従来例ともに、つまみねじ１００の頭部の形状やねじ部の長さが異なる場合には、個々に頭部形状を形成する必要があり、多品種対応の場合ねじの金型費などのコストが増大するものであった。
【０００７】
したがって、この発明の目的は、外観の品質低下を招くことな〈器具本体と反射板の導通を確実に得ることができ、また安価に多品種対応が可能である照明器具およびねじ用導通部材を提供することである。
【０００８】
【課題を解決するための手段】
請求項１記載の照明器具は、ねじ部と頭部を有する反射板取付用のつまみねじと、このつまみねじを挿通するねじ挿通孔が設けられ塗装の施された反射板と、前記つまみねじが螺合するねじ孔を有して前記つまみねじにより前記反射板を取り付ける器具本体を備えた照明器具において、
前記頭部のねじ部側に設けられて、付け根が前記頭部の前記ねじ部側の周辺に位置し、先端が前記ねじ部の先端寄りに弾性係合し、前記付け根と前記先端との中間部が前記ねじ部のねじ軸方向に対して傾斜した爪片を有し、前記反射板を前記器具本体に取付けたとき、前記爪片の側部が前記ねじ挿通孔の縁部に導通可能に食い込む導通部材を具備したことを特徴とするものである。
【０００９】
請求項１記載の照明器具によれば、つまみねじに設けた導通部材により、外観の品質を損なうことな〈器具本体と反射板の導通を確実に得ることができ、かつ安価につまみねじの多品種対応が可能である照明器具構造を実現することができる。
【００１０】
請求項２記載のねじ用導通部材は、ねじ挿通孔を有する塗装した取付部材を、ねじ孔を有する被取付部材につまみねじにより取付ける際に、前記つまみねじの頭部のねじ部側に嵌められ前記取付部材の前記ねじ挿通孔の縁部の塗装を剥離し前記取付部材と前記つまみねじとの導通をとるねじ用導通部材であって、
前記ねじ部に嵌込み前記頭部に当接する環状部と、この環状部から前記環状部の軸方向に延びかつ前記環状部の中心を通る軸線に近づく方向に傾斜する傾斜状態に突出して先端が前記ねじ部に当接する複数の弾性爪片とを備え、前記弾性爪片の側部が前記ねじ挿通孔の縁部に導通可能に係止することを特徴とするものである。
【００１１】
請求項２記載のねじ用導通部材によれば、請求項１と同様な効果がある。
【００１２】
請求項３記載のねじ用導通部材は、請求項２において、前記弾性爪片が周方向の、少なくとも締め付け方向前方側の縁部が立ちあげられているものである。
【００１３】
請求項３記載のねじ用導通部材によれば、請求項２と同様な効果がある。
【００１４】
請求項４記載のねじ用導通部材は、請求項２において、前記複数の弾性爪片がその先端でつまみねじに嵌合した状態でつまみねじのねじ部が環状部に対し偏心状態となるものである。
【００１５】
請求項４記載のねじ用導通部材によれば請求項２と同様な効果がある。
【００１６】
請求項５記載のねじ用導通部材は、請求項２において、つまみねじを緩める方向への回転を防止する回転防止部を有するものである。
【００１７】
請求項５記載のねじ用導通部材によれば、請求項２と同様な効果がある。
【００１８】
【発明の実施の形態】
この発明の第１の実施の形態を図１から図３により説明する。すなわち、この照明器具は、天井面などに取付られる被取付部材となる器具本体１、器具本体１に取付けられる被取付部材となる反射板２、反射板２の取付のため、反射板２のねじ挿通孔３を通して、器具本体１に設けたねじ孔４に螺合されるつまみねじ５、つまみねじ５の頭部側に嵌合した導通部材６から構成される。
【００１９】
器具本体１は角形の略平板であり、一対の２灯用安定器７を相対向する両側に設け、その間の一端側に４灯分のランプソケット８を並置している。つまみねじ螺合部となるねじ孔４は略コーナ部にそれぞれ形成されている。反射板２は器具本体１の下面を被覆するもので、ランプソケット８を露出するための穴９を形成し、各ランプソケット８に対応してランプ保持ばね１０を設け、かつねじ孔４に整合するねじ挿通孔３を形成している。
【００２０】
導通部材６は図２および図３に示すように、ねじ部５ａに嵌込み前記頭部に当接する環状部１２と、この環状部１２からその中央側へ傾斜状態に突出して先端がねじ部５ａに当接する複数の弾性爪片１３とを備えている。嵌合前の弾性爪片１３の形状は図２に示すように、その外側の環状部１２と同一面にある平板状のものである。これらの弾性爪片１３がねじ部５ａに嵌合すると、ねじ部５ａとの嵌合状態では、複数の弾性爪片１３は各先端がねじ部５ａに係合してねじ先端方向に向けて傾斜する。
【００２１】
器具本体１に反射板２を取ける場合、この導通部材６を嵌合したつまみねじ５を反射板２のねじ挿通孔３を通して器具本体１のねじ孔４に螺合するが、その際つまみねじ５の頭部５ａを回転操作すると導通部材６が一緒に回転する。さらにつまみねじ５を締め込んでいくと反射板２のねじ挿通孔３の縁部に導通部材６の弾性爪片１３の側部が接触し、回転により挿通孔周りの塗装を剥離し、やがて導通部材６の弾性爪片１３が反射板２の素地（全属部）に接触し、さらには弾性爪片１３がねじ挿通孔３の縁部に係止することもある。
【００２２】
こうして、反射板２をつまみねじ５で取付ける動作により、器具本体１〜つまみねじ５〜導通部材６〜反射板２の導通経路が形成され、器具本体１と反射板２の導通を得ることが出来る。この場合、導通部材６の弾性爪片１３の側部と反射板２のねじ挿通孔３の縁部の角部分３ａでの接触により反射板２の塗装の剥離が行われるため、従来の面での接触に比べより容易に剥離が行われ確実に導通を得ることが出来る。また、反射板２の表面を剥離しないため、傷・錆などによる外観の品賃低下が従釆に比べ少なく出来る。さらにつまみねじ５の頭部５ａと反射板２の表面の隙間も導通部材６の板厚程度に小さくすることが出来る。
【００２３】
この発明の第２の実施の形態を図４に示す。この導通部材６が第１の実施の形態と異なる点は、つまみねじ５のねじ部５ａが弾性爪片１３に嵌合する嵌合方向に、嵌合前に傾斜したことであり、ねじ部５ａの嵌合性を向上している。その少なくとも一つの弾性爪片１３はねじ部５ａに接している。
【００２４】
この発明の第３の実施の形態を図５に示す。（ａ）は第１の実施の形態に比較してつまみねじ５の頭部５ｂが高いため形状が異なる例、（ｂ）は第１の実施の形態と比較してねじ部５ａの長さが短い例である。導通部材６は第１の実施の形態または第２の実施の形態を用いているが、つまみねじ５とは独立した部材であるので、ねじ部５ａの呼び径が同じであれば、つまみねじ５の頭部５ｂの形状やねじ部５ａの長さや形状によらず複数種類のつまみねじ５に嵌合可能であり、安価に多品種対応ができるメリットもある。
【００２５】
この発明の第４の実施の形態を図６に示す。第２の実施の形態と異なる点は、導通部材６の弾性爪片１３がつまみねじ５の締付け時に回転方向の前側となる端面の一部の先端側をねじ先端側へ折り曲げて、弾性爪片１３の縁部１３ａを立ち上げたことである。これにより弾性爪片１３の端面の角部分が反射板２のねじ挿通孔３の縁部に対しより一層食い込みやすい形状となり、塗装の剥離を容易にし、より確実に導通を得ることができる。なお、この実施の形態は第１の実施の形態および第３の実施の形態の弾性爪片１３にも適用可能である。
【００２６】
図７から図１１は第４の実施の形態の変形形態である。図７は導通部材６の弾性爪片１３の側縁１３ｂの全体を折り曲げたものである。
【００２７】
図８は爪片１３を略半円筒状にして両側の端面を立ち上げたものである。
【００２８】
図９は導通部材６の環状部１２に切り欠き１３ｃを設け、より環状部１２の外側付近まで爪片１３の縁部１３ｄの折り曲げが行えるように形成したものである。これによって爪片１３の縁部１３ｄのうち、つまみねじ５の締付け完了時に反射板２の挿通孔３の縁部と接触する端面部分（すなわち付根付近）の折り曲げを大きくすることができ、爪片１３の端面の食い込みをより確実に行えるものである。
【００２９】
図１０は爪片１３の根元（環状部側）を先端より太くし、縁部１３ｄの折り曲げを大きくしたものである。
【００３０】
図１１は第４の実施の形態において、つまみねじ５に嵌合する爪片１３とは別に環状部１３に近い部分に爪部１５を形成し、縁部１３ａと同様に爪部１５の先端側の縁部１５ａを立ち上げている。
【００３１】
この発明の第５の実施の形態を図１２から図１４に示す。第２の実施の形態において、複数形成された弾性爪片１３のうち一部の爪片１３ｅの長さを他よりも短く変更することで、ねじ嵌合状態ではねじ部５ａの中心が導通部材６の中心に対して量Ｎだけ偏心した位置にある。これによりつまみねじ５の螺合時には一方の爪片１３が反射板２のねじ挿通孔３に押し付けられた状態となり、このため塗装の剥離をより容易にし、導通の確実性を向上することが出来る。なお、この実施の形態を他の実施の形態の導通部材にも適用可能である。
【００３２】
この発明の第６の実施の形態を図１５に示す。ランプ交換などで反射板２を取外す際にはつまみねじ５を取付し時とは逆方向に回転操作し器具本体１から離脱することになる。この際導通部材６が反射板２に強く食い込むなどしてつまみねじ５と一緒に回転しなければ、つまみねじ５の回転方向は導通部材６にとって離脱方向になるため、最悪の場合導通部材６がつまみねじ５から外れてしまう。これを防止する回転防止部として、複数ある爪片１３のうち一部の爪片１３ｆの先端側（ねじ側）の形状をねじ先端方向に対して山形状あるいは断面略への字形に形成したものである。導通部材６がねじに嵌合した状態において、この山形状の爪片１３ｆはその先端端面がねじ部５ａに食い込んでおり、いずれの回転方向に対しても導通部材６はつまみねじ５と一体となった回転を行う。このため、前記のような離脱方向の回転に対しても導通部材６はつまみねじ５に嵌合した状態を維持することが出来る。この実施の形態は第４の実施の形態に適用しているが、他の実施の形態にも適用可能である。
【００３３】
図１６から図１９は第６の実施の形態と同様の効果を得ることができる変形の形態である。図１６は第４の実施の形態において、一部の爪片１３ｇのねじ部５ａの緩み方向側の端面１３ｈをねじ先端方向に折り曲げ、その端面をねじに食い込ませるものである。
【００３４】
図１７は第４の実施の形態において、一部の爪片１３ｈの傾斜角度を浅くし長さを短くすることで、爪片１３ｈの弾性を減少し、ねじ部５ａヘの食い込みをより強くしたものである。
【００３５】
図１８および図１９は第４の実施の形態において、一部の爪片１３ｉの傾斜をねじ頭部５ｂ側に形成したものである。この爪片１３ｉはつまみねじ５の緩み方向の回転に対して、爪片１３ｉの端面が食い込むように形成されており、導通部材６のねじ部５ａからの離脱方向の回転を防止している。なお、これらの変形の実施の形態は上述の他の実施の形態にも適用可能である。
【００３６】
【発明の効果】
請求項１記載の照明器具によれば、つまみねじに設けた導通部材により、外観の品質を損なうことな〈器具本体と反射板の導通を確実に得ることができ、かつ安価につまみねじの多品種対応が可能である照明器具構造を実現することができる。
【００３７】
請求項２記載のねじ用導通部材によれば、請求項１と同様な効果がある。
【００３８】
請求項３記載のねじ用導通部材によれば、請求項２と同様な効果がある。
【００３９】
請求項４記載のねじ用導通部材によれば請求項２と同様な効果がある。
【００４０】
請求項５記載のねじ用導通部材によれば、請求項２と同様な効果がある。
【図面の簡単な説明】
【図１】（ａ）はこの発明の第１の実施の形態の反射板を外した状態の斜視図、（ｂ）はそのつまみねじの斜視図である。
【図２】導通部材を示し、（ａ）は平面図、（ｂ）は正面図、（ｃ）は斜視図である。
【図３】導通部材を有するつまみねじを示し、（ａ）は平面図、（ｂ）は正面図、（ｃ）は斜視図、（ｄ）は反射板を取付けた状態のねじ部分の断面図である。
【図４】第２の実施の形態の導通部材を示し、（ａ）は平面図、（ｂ）は正面図、（ｃ）は斜視図である。
【図５】第３の実施の形態の導通部材の正面図である。
【図６】第４の実施の形態の導通部材を示し、（ａ）は平面図、（ｂ）は正面図、（ｃ）は斜視図、（ｄ）は（ａ）のＡ−Ａ′線断面図である。
【図７】その変形の実施の形態の導通部材を示し、（ａ）は平面図、（ｂ）は正面図、（ｃ）は斜視図、（ｄ）は（ａ）のＡ−Ａ′線断面図である。
【図８】別の変形の実施の形態の導通部材を示し、（ａ）は平面図、（ｂ）は正面図、（ｃ）は斜視図、（ｄ）は（ａ）のＡ−Ａ′線断面図である。
【図９】別の変形の実施の形態の導通部材を示し、（ａ）は平面図、（ｂ）は正面図、（ｃ）は斜視図である。
【図１０】別の変形の実施の形態の導通部材を示し、（ａ）は平面図、（ｂ）は正面図、（ｃ）は斜視図である。
【図１１】別の変形の実施の形態の導通部材を示し、（ａ）は平面図、（ｂ）は正面図、（ｃ）は斜視図である。
【図１２】第５の実施の形態の導通部材を示し、（ａ）は平面図、（ｂ）は正面図、（ｃ）は斜視図である。
【図１３】（ａ）は導通部材を設けたつまみねじの平面図、（ｂ）は正面図である。
【図１４】反射板を取付けた状態のねじ部分の断面図である。
【図１５】第６の実施の形態の導通部材を示し、（ａ）は平面図、（ｂ）は正面図、（ｃ）は斜視図、（ｄ）は（ａ）のＡ−Ａ′線断面図である。
【図１６】その変形の実施の形態の導通部材を示し、（ａ）は平面図、（ｂ）は正面図、（ｃ）は斜視図、（ｄ）は（ａ）のＡ−Ａ′線断面図である。
【図１７】別の変形の実施の形態の導通部材を示し、（ａ）は平面図、（ｂ）は正面図、（ｃ）は側面図、（ｄ）は斜視図である。
【図１８】別の変形の実施の形態の導通部材を示し、（ａ）は平面図、（ｂ）は正面図、（ｃ）は斜視図、（ｄ）は反射板を取付けた状態のねじ部分の断面図である。
【図１９】従来例の照明器具の反射板を外した状態の斜視図である。
【図２０】（ａ）はつまみねじの斜視図、（ｂ）は反射板をつまみねじで器具本体に取付けた状態の断面図、（ｃ）は別のつまみねじを用いて反射板を器具本体に取付けた状態の断面図である。
【符号の説明】
１    器具本体
２    反射板
３    ねじ挿通孔
４    ねじ孔
５    つまみねじ
５ａ    ねじ部
５ｂ    頭部
６    導通部材
１２    環状部
１３    弾性爪片
【図１】
0003907942.tif 000002
【図２】
0003907942.tif 000003
【図３】
0003907942.tif 000004
【図４】
0003907942.tif 000005
【図５】
0003907942.tif 000006
【図６】
0003907942.tif 000007
【図７】
0003907942.tif 000008
【図８】
0003907942.tif 000009
【図９】
0003907942.tif 000010
【図１０】
0003907942.tif 000011
【図１１】
0003907942.tif 000012
【図１２】
0003907942.tif 000013
【図１３】
0003907942.tif 000014
【図１４】
0003907942.tif 000015
【図１５】
0003907942.tif 000016
【図１６】
0003907942.tif 000017
【図１７】
0003907942.tif 000018
【図１８】
0003907942.tif 000019
【図１９】
0003907942.tif 000020
【図２０】
0003907942.tif 000021